(57)【特許請求の範囲】
【請求項１】
通信の方法であって、
同期信号を送信するために1つまたは複数のユーザ機器(UE)の各々によって使用されるシーケンスを示すシーケンスのセットを受信するステップと、
1つまたは複数のUEの各々から同期信号を、UEによって受信するステップと、
少なくとも前記受信された同期信号に基づいて平均クロックレートを生成するために平均化プロセスを実行するステップと、
前記平均クロックレートに基づいて内部クロックレートを調整するステップと、
前記受信されたシーケンスのセットに基づいて前記UEによって同期信号の送信のためのシーケンスを選択するステップであって、前記同期信号の送信のためのシーケンスが、前記1つまたは複数のUEの各々によって使用される前記シーケンスのセット内の前記シーケンスのいずれとも異なるように選択される、ステップと、
前記調整された内部クロックレートと前記選択されたシーケンスとに基づいて前記同期信号を送信するステップと
を含む、方法。
【請求項２】
前記内部クロックレートが、前記平均クロックレートと整合するように調整される、請求項1に記載の方法。
【請求項３】
前記シーケンスのセットが、全地球測位システム(GPS)ベースのタイミング情報を提供するGPSに接続されたUEのために保存されているシーケンスのサブセットを含む、請求項1に記載の方法。
【請求項４】
前記実行するステップが、
前記1つまたは複数のUEのうちの少なくとも1つが、前記シーケンスのサブセットからのシーケンスを使用していることを判定するステップと、
前記平均化プロセスの一部として、前記1つまたは複数のUEのうちの前記判定された少なくとも1つに重み係数を適用するステップと
をさらに含む、請求項3に記載の方法。
【請求項５】
前記実行するステップが、
前記同期信号が受信されたUEの数を決定するステップと、
前記同期信号の各々に対する受信時間に基づいて前記1つまたは複数のUEの各々に対するクロックレートを決定するステップと、
前記内部クロックレートとともに前記決定されたクロックレートを加算することによってクロックレート合計値を生成するステップと、
前記同期信号が受信された前記UEの数に1を加えた合計で前記クロックレート合計値を割ることによって、前記平均クロックレートを生成するステップと
をさらに含む、請求項1に記載の方法。
【請求項６】
前記1つまたは複数のUEのうちの少なくとも1つがGPS接続UEであることを判定するステップをさらに含み、前記GPS接続UEのクロックレートに向けて前記平均クロックレートをバイアスするために、前記クロックレート合計値が生成されるときに、重み係数が前記GPS接続UEに適用される、請求項5に記載の方法。
【請求項７】
前記GPS接続UEが、保存されている利用可能なシーケンスのサブセット内にある前記GPS接続UEによって使用されるシーケンスに基づいて決定される、請求項6に記載の方法。
【請求項８】
前記同期信号が、ロングタームエボリューション(LTE)ベースネットワーク内の一次同期信号(PSS)である、請求項1に記載の方法。
【請求項９】
通信の方法であって、
同期信号の送信のために1つまたは複数のユーザ機器(UE)の各々によって使用されるシーケンスを示す、GPS接続UEのために保存されているシーケンスのサブセットを含むシーケンスのセットを受信するステップと、
全地球測位システム(GPS)によって提供されるタイミング情報に基づいてUEの内部クロックレートを調整するステップと、
前記シーケンスのサブセットから同期信号送信を通信するためのシーケンスを選択するステップであって、前記選択するステップが、前記1つまたは複数のUEのいずれによっても使用されないシーケンスを選択するステップを含む、ステップと、
前記調整された内部クロックレートと前記選択されたシーケンスとに基づいて前記同期信号を送信するステップと
を含む、方法。
【請求項１０】
前記同期信号が、ロングタームエボリューション(LTE)ベースネットワーク内の一次同期信号(PSS)である、請求項9に記載の方法。
【請求項１１】
通信のための装置であって、
同期信号を送信するために1つまたは複数のユーザ機器(UE)の各々によって使用されるシーケンスを示すシーケンスのセットを受信するための手段と、
1つまたは複数のUEの各々から同期信号を、UEによって受信するための手段と、
少なくとも前記受信された同期信号に基づいて平均クロックレートを生成するために平均化プロセスを実行するための手段と、
前記平均クロックレートに基づいて内部クロックレートを調整するための手段と、
前記受信されたシーケンスのセットに基づいて前記UEによって同期信号の送信のためのシーケンスを選択するための手段であって、前記同期信号の送信のためのシーケンスが、前記1つまたは複数のUEの各々によって使用される前記シーケンスのセット内の前記シーケンスのいずれとも異なるように選択される、手段と、
前記調整された内部クロックレートと前記選択されたシーケンスとに基づいて前記同期信号を送信するための手段と
を含む、装置。
【請求項１２】
通信のための装置であって、
同期信号の送信のために1つまたは複数のユーザ機器(UE)の各々によって使用されるシーケンスを示す、GPS接続UEのために保存されている前記シーケンスのサブセットを含むシーケンスのセットを受信するための手段と、
全地球測位システム(GPS)によって提供されるタイミング情報に基づいてUEの内部クロックレートを調整するための手段と、
前記シーケンスのサブセットから同期信号送信を通信するためのシーケンスを選択するための手段であって、前記選択するための手段が、前記1つまたは複数のUEのいずれによっても使用されないシーケンスを選択するように構成される、手段と、
前記調整された内部クロックレートと前記選択されたシーケンスとに基づいて前記同期信号を送信するための手段と
を含む、装置。
【請求項１３】
請求項1乃至8のいずれか1項に記載の方法、又は、請求項9又は10のいずれか1項に記載の方法を実行するためのコンピュータによって実行可能なプログラム命令を含む、コンピュータプログラム。
【発明の詳細な説明】
【技術分野】
【０００１】
本開示は、一般に、通信システムに関し、より詳細には、ワイヤレス広域ネットワーク(WWAN)におけるデバイス間(D2D)通信の一部として平均クロックレートに基づく分散型周波数同期を可能にすることに関する。
【背景技術】
【０００２】
電話、ビデオ、データ、メッセージング、および放送などの様々な遠隔通信サービスを提供するために、ワイヤレス通信システムが広範囲に配備されている。典型的なワイヤレス通信システムは、利用可能なシステムリソース(たとえば、帯域幅、送信電力)を共有することによって、複数のユーザとの通信をサポートすることが可能な多元接続技術を使用し得る。そのような多元接続技術の例には、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムがある。
【０００３】
これらの多元接続技術は、異なるワイヤレスデバイスが地方、国家、領域、および地球規模で通信することを可能にする共通プロトコルを提供するために、様々な電気通信規格において採用されてきた。電気通信規格の一例はロングタームエボリューション(LTE)である。LTEは、第3世代パートナーシッププロジェクト(3GPP)によって公表されたユニバーサルモバイル通信システム(UMTS)モバイル規格に対する拡張のセットである。LTEは、スペクトル効率を改善することによってモバイルブロードバンドインターネットアクセスをより良くサポートすることと、コストを下げることと、サービスを改善することと、新しいスペクトルを使用することと、ダウンリンク(DL)でOFDMAを、アップリンク(UL)でSC-FDMAを、そして多入力多出力(MIMO)アンテナ技術を使用して他のオープンスタンダードとより良く融合することとを行うように設計されている。LTEは、直接デバイス間(ピアツーピア)通信(たとえば、LTE-Direct)をサポートすることができる。
【０００４】
最近、LTE環境(たとえば、LTE-Direct)におけるデバイス間(D2D)通信をサポートすることの一態様は、D2D同期である。D2D同期は、タイミング同期と周波数同期とを含み得る。D2D通信が集中型制御エンティティなしにサポートされる場合、D2D同期は、(たとえば、ネットワーク内のデバイス間で)分散方式で実行され得る。分散型周波数同期は、基幹施設なしに(たとえば、中央制御エンティティなしに)作動する通信システムを可能にするために必要である。
【発明の概要】
【発明が解決しようとする課題】
【０００５】
D2D通信に対する需要が増加しているので、LTE環境内のD2D通信をサポートするために分散型周波数同期をユーザ機器(UE)が実行することを可能にするための方法/装置の必要性が存在する。
【課題を解決するための手段】
【０００６】
以下で、そのような態様の基本的理解を与えるために、1つまたは複数の態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、1つまたは複数の態様のいくつかの概念を簡略化された形で提示することである。
【０００７】
1つまたは複数の態様およびそれらに対応する開示に従って、平均クロックレートに基づく分散型周波数同期を可能にすることに関連する様々な態様を説明する。一例では、UEは、1つまたは複数のUEの各々から同期信号を受信し、少なくとも受信された同期信号に基づいて平均クロックレートを生成するために平均化プロセスを実行し、平均クロックレートに基づいて内部クロックレートを調整するように装備される。別の例では、UEは、全地球測位システム(GPS)によって提供されるタイミング情報に基づいてUEの内部クロックレートを調整し、GPS接続UE(GPS connected UE)のために保存されているシーケンスのサブセットからの同期信号送信を通信するためのシーケンスを選択し、調整された内部クロックレートに基づいて同期信号を送信するように装備される。
【０００８】
関係する態様によれば、平均クロックレートに基づく分散型周波数同期を可能にするための方法が提供される。方法は、1つまたは複数のUEの各々から同期信号を、UEによって受信するステップを含み得る。さらに、方法は、少なくとも受信された同期信号に基づいて平均クロックレートを生成するために平均化プロセスを実行するステップを含み得る。その上、方法は、平均クロックレートに基づいて内部クロックレートを調整するステップを含み得る。
【０００９】
別の態様は、平均クロックレートに基づく分散型周波数同期を可能にするための通信装置に関する。通信装置は、1つまたは複数のUEの各々から同期信号を、UEによって受信するための手段を含み得る。さらに、通信装置は、少なくとも受信された同期信号に基づいて平均クロックレートを生成するために平均化プロセスを実行するための手段を含み得る。その上、通信装置は、平均クロックレートに基づいて内部クロックレートを調整するための手段を含み得る。
【００１０】
別の態様は、通信装置に関する。装置は、1つまたは複数のUEの各々から同期信号を受信するように構成された処理システムを含み得る。さらに、処理システムは、少なくとも受信された同期信号に基づいて平均クロックレートを生成するために平均化プロセスを実行するように構成され得る。その上、処理システムは、平均クロックレートに基づいて内部クロックレートを調整するようにさらに構成され得る。
【００１１】
さらに別の態様は、1つまたは複数のUEの各々から同期信号を、UEによって受信するためのコードを含むコンピュータ可読媒体を有し得る、コンピュータプログラム製品に関する。さらに、コンピュータ可読媒体は、少なくとも受信された同期信号に基づいて平均クロックレートを生成するために平均化プロセスを実行するためのコードを含み得る。その上、コンピュータ可読媒体は、平均クロックレートに基づいて内部クロックレートを調整するためのコードを含み得る。
【００１２】
関係する態様によれば、平均クロックレートに基づく分散型周波数同期を可能にする方法が提供される。方法は、GPSによって提供されるタイミング情報に基づいてUEの内部クロックレートを調整するステップを含み得る。さらに、方法は、GPS接続UEのために保存されているシーケンスのサブセットから同期信号送信を通信するためのシーケンスを選択するステップを含み得る。その上、方法は、調整された内部クロックレートと選択されたシーケンスとに基づいて同期信号を送信するステップを含み得る。
【００１３】
別の態様は、平均クロックレートに基づく分散型周波数同期を可能にするための通信装置に関する。通信装置は、GPSによって提供されるタイミング情報に基づいてUEの内部クロックレートを調整するための手段を含み得る。さらに、通信装置は、GPS接続UEのために保存されているシーケンスのサブセットから同期信号送信を通信するためのシーケンスを選択するための手段を含み得る。その上、通信装置は、調整された内部クロックレートと選択されたシーケンスとに基づいて同期信号を送信するための手段を含み得る。
【００１４】
別の態様は、通信装置に関する。装置は、GPSによって提供されるタイミング情報に基づいてUEの内部クロックレートを調整するように構成された処理システムを含み得る。さらに、処理システムは、GPS接続UEのために保存されているシーケンスのサブセットから同期信号送信を通信するためのシーケンスを選択するようにさらに構成され得る。その上、処理システムは、調整された内部クロックレートと選択されたシーケンスとに基づいて同期信号を送信するようにさらに構成され得る。
【００１５】
さらに別の態様は、GPSによって提供されるタイミング情報に基づいてUEの内部クロックレートを調整するためのコードを含むコンピュータ可読媒体を有し得るコンピュータプログラム製品に関する。さらに、コンピュータ可読媒体は、GPS接続UEのために保存されているシーケンスのサブセットから同期信号送信を通信するためのシーケンスを選択するためのコードを含み得る。その上、コンピュータ可読媒体は、調整された内部クロックレートと選択されたシーケンスとに基づいて同期信号を送信するためのコードを含み得る。
【００１６】
上記の目的および関連する目的を達成するために、1つまたは複数の態様は、以下で十分に記載され、特許請求の範囲で具体的に指摘される特徴を含む。以下の説明および添付の図面は、1つまたは複数の態様のいくつかの例示的な特徴を詳細に説明する。しかしながら、これらの特徴は、様々な態様の原理が使用され得る様々な方法のうちのいくつかを示すものにすぎず、この説明は、そのようなすべての態様およびそれらの等価物を含むものとする。
【図面の簡単な説明】
【００１７】
【図１】ネットワークアーキテクチャの一例を示す図である。
【図２】アクセスネットワークの一例を示す図である。
【図３】LTEにおけるDLフレーム構造の一例を示す図である。
【図４】LTEにおけるULフレーム構造の一例を示す図である。
【図５】ユーザプレーンおよび制御プレーンの無線プロトコルアーキテクチャの一例を示す図である。
【図６】アクセスネットワーク内の発展型ノードBおよびユーザ機器の一例を示す図である。
【図７】デバイス間通信ネットワークを示す図である。
【図８】デバイス間通信ネットワークにおける分散型同期通信を示す図である。
【図９】ワイヤレス通信の第1の方法のフローチャートである。
【図１０】ワイヤレス通信の第2の方法のフローチャートである。
【図１１】例示的な装置内の異なるモジュール/手段/構成要素の間のデータフローを示す概念的データフロー図である。
【図１２】処理システムを使用する装置のためのハードウェア実装の一例を示す図である。
【発明を実施するための形態】
【００１８】
添付の図面に関する下記の詳細な説明は、様々な構成の説明として意図されており、本明細書で説明される概念が実行され得る唯一の構成を表すように意図されているわけではない。詳細な説明は、様々な概念の完全な理解をもたらす目的で、具体的な詳細を含んでいる。しかしながら、これらの概念がこれらの具体的な詳細なしに実行され得ることが、当業者には明らかであろう。場合によっては、そのような概念を曖昧にするのを回避する目的で、周知の構造および構成要素がブロック図の形式で示されている。
【００１９】
次に、様々な装置および方法を参照して、電気通信システムのいくつかの態様について提示する。これらの装置および方法は、以下の発明を実施するための形態で説明され、様々なブロック、モジュール、構成要素、回路、ステップ、プロセス、アルゴリズムなど(集合的に「要素」と呼ばれる)によって添付の図面に示される。これらの要素は、電子ハードウェア、コンピュータソフトウェア、またはそれらの任意の組合せを使用して実装することができる。そのような要素をハードウェアとして実装するか、ソフトウェアとして実装するかは、特定の用途およびシステム全体に課される設計制約に依存する。
【００２０】
例として、要素または要素の任意の部分または要素の任意の組合せを、1つまたは複数のプロセッサを含む「処理システム」で実装することができる。プロセッサの例として、マイクロプロセッサ、マイクロコントローラ、デジタル信号プロセッサ(DSP)、フィールドプログラマブルゲートアレイ(FPGA)、プログラマブル論理デバイス(PLD)、状態機械、ゲート論理、個別ハードウェア回路、および本開示全体にわたって説明される様々な機能を実行するように構成された他の適切なハードウェアがある。処理システム内の1つまたは複数のプロセッサは、ソフトウェアを実行することができる。ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００２１】
したがって、1つまたは複数の例示的な実施形態では、記載された機能は、ハードウェア、ソフトウェア、ファームウェア、またはそれらの任意の組合せで実装され得る。ソフトウェアで実装される場合、機能は、1つまたは複数の命令またはコードとしてコンピュータ可読媒体上に記憶されるか、あるいは符号化され得る。コンピュータ可読媒体は、コンピュータ記憶媒体を含む。記憶媒体は、コンピュータによってアクセスされ得る任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または、命令もしくはデータ構造の形態の所望のプログラムコードを搬送もしくは記憶するために使用でき、コンピュータによってアクセスできる、任意の他の媒体を含み得る。本明細書で使用する場合、ディスク(disk)およびディスク(disc)は、コンパクトディスク(CD)、レーザーディスク(登録商標)、光ディスク、デジタル多用途ディスク(DVD)、およびフロッピー(登録商標)ディスク、およびブルーレイディスクを含み、ディスク(disk)は、通常、磁気的にデータを再生し、ディスク(disc)は、レーザーで光学的にデータを再生する。上記の組合せもコンピュータ可読媒体の範囲内に含めるべきである。
【００２２】
図1は、LTEネットワークアーキテクチャ100を示す図である。LTEネットワークアーキテクチャ100は、発展型パケットシステム(EPS)100と呼ばれることがある。EPS100は、1つまたは複数のユーザ機器(UE)102、発展型UMTS地上波無線アクセスネットワーク(E-UTRAN)104、発展型パケットコア(EPC)110、ホーム加入者サーバ(HSS)120、および事業者のIPサービス122を含み得る。EPSは、他のアクセスネットワークと相互接続し得るが、簡単のために、それらのエンティティ/インターフェースは示していない。図示のように、EPSはパケット交換サービスを提供するが、本開示を通して提示する様々な概念が、回線交換サービスを提供するネットワークに拡張され得ることは、当業者には容易に諒解されよう。
【００２３】
E-UTRANは、発展型ノードB(eNB)106および他のeNB108を含む。eNB106は、ユーザおよび制御プレーンに、UE102に向けたプロトコル終端を提供する。eNB106は、バックホール(たとえば、X2インターフェース)を介して他のeNB108に接続され得る。eNB106はまた、基地局、トランシーバ基地局、無線基地局、無線トランシーバ、トランシーバ機能、基本サービスセット(BSS)、拡張サービスセット(ESS)、または何らかの他の適切な用語で呼ばれることがある。eNB106は、UE102に対するEPC110にアクセスポイントを提供する。UE102の例には、携帯電話、スマートフォン、セッション開始プロトコル(SIP)電話、ラップトップ、携帯情報端末(PDA)、衛星ラジオ、全地球測位システム、マルチメディアデバイス、ビデオデバイス、デジタルオーディオプレーヤ(たとえば、MP3プレーヤ)、カメラ、ゲーム機、または任意の他の類似の機能デバイスなどがある。UE102はまた、当業者によって、移動局、加入者局、モバイルユニット、加入者ユニット、ワイヤレスユニット、リモートユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、またはいくつかの他の適切な用語で呼ばれることもある。
【００２４】
eNB106は、S1インターフェースによってEPC110に接続される。EPC110は、モビリティ管理エンティティ(MME)112、他のMME114、サービングゲートウェイ116、およびパケットデータネットワーク(PDN)ゲートウェイ118を含む。MME112は、UE102とEPC110との間のシグナリングを処理する制御ノードである。概して、MME112は、ベアラおよび接続管理を提供する。すべてのユーザIPパケットは、サービングゲートウェイ116を通して転送され、サービングゲートウェイ116自体は、PDNゲートウェイ118に接続される。PDNゲートウェイ118は、IPアドレス割当てならびに他の機能をUEに提供する。PDNゲートウェイ118は、事業者のIPサービス122に接続される。事業者のIPサービス122は、インターネット、イントラネット、IPマルチメディアサブシステム(IMS)、およびPSストリーミングサービス(PSS)を含み得る。
【００２５】
図2は、LTEネットワークアーキテクチャにおけるアクセスネットワーク200の一例を示す図である。この例では、アクセスネットワーク200は、いくつかのセルラー領域(セル)202に分割される。1つまたは複数のより低い電力クラスのeNB208が、セル202のうちの1つまたは複数と重なるセルラー領域210を有し得る。より低い電力クラスのeNB208は、フェムトセル(たとえば、ホームeNB(HeNB))、ピコセル、マイクロセル、または遠隔無線ヘッド(RRH)であってよい。マクロeNB204は、それぞれのセル202にそれぞれ割り当てられ、セル202内のすべてのUE206、212に対するEPC110にアクセスポイントを提供するように構成される。UE212のうちいくつかは、デバイス間通信中であってよい。アクセスネットワーク200のこの例では集中型コントローラは存在しないが、集中型コントローラは、代替構成において使用され得る。eNB204は、無線ベアラ制御、承認制御、モビリティ制御、スケジューリング、セキュリティ、およびサービングゲートウェイ116への接続性を含むすべての無線関係機能に対する役割を担う。
【００２６】
アクセスネットワーク200によって用いられる変調方式および多元接続方式は、導入されている特定の電気通信規格に応じて異なり得る。LTEアプリケーションにおいて、周波数分割複信(FDD)と時分割複信(TDD)の両方をサポートするために、OFDMがDL上で使用され、SC-FDMAがUL上で使用される。当業者が以下の詳細な説明から容易に諒解するように、本明細書で提示する様々な概念は、LTEアプリケーションに対して十分に好適である。しかしながら、これらの概念は、他の変調技法および多元接続技法を使用する他の電気通信規格に容易に拡張され得る。例として、これらの概念は、Evolution-Data Optimized(EV-DO)またはUltra Mobile Broadband(UMB)に拡張され得る。EV-DOおよびUMBは、CDMA2000規格ファミリーの一部として第3世代パートナーシッププロジェクト2(3GPP2)によって公表されたエアインターフェース規格であり、CDMAを用いて移動局にブロードバンドインターネットアクセスを提供する。これらの概念はまた、広帯域CDMA(W-CDMA)およびTD-SCDMAなどのCDMAの他の変形態を用いるUniversal Terrestrial Radio Access(UTRA)、TDMAを用いるGlobal System for Mobile Communications(GSM(登録商標))、ならびにOFDMAを用いるEvolved UTRA(E-UTRA)、IEEE802.11(Wi-Fi)、IEEE802.16(WiMAX)、IEEE802.20、およびFlash-OFDMに拡張され得る。UTRA、E-UTRA、UMTS、LTE、およびGSM(登録商標)は、3GPP団体による文書に記述されている。CDMA2000およびUMBは、3GPP2団体による文書に記述されている。実際の利用されるワイヤレス通信規格、多元接続技術は、具体的な用途およびシステム全体に課される設計制約に依存する。
【００２７】
図3は、LTEにおけるDLフレーム構造の一例を示す図300である。フレーム(10ms)は、10の等しいサイズのサブフレーム302に分割され得る。各サブフレーム302は、2つの連続するタイムスロット304を含むことができる。リソースグリッドは、2つのタイムスロットを表すために使用され、各タイムスロットは、リソースブロック(RB)306を含むことができる。LTEでは、リソースグリッドは、複数のリソース要素に分割される。さらに、LTEでは、RB306は、周波数領域内に12の連続するサブキャリアを含み、各OFDMシンボル内の通常サイクリックプレフィックスに対して、時間領域内に7つの連続するOFDMシンボルを含み、したがって84のリソース要素を含む。拡張サイクリックプレフィックスに対して、リソースブロックは、時間領域内に6つの連続するOFDMシンボルを含み、72のリソース要素を有する。物理DL制御チャネル(PDCCH)、物理DL共有チャネル(PDSCH)、および他のチャネルは、リソース要素にマッピングすることができる。
【００２８】
LTE-Direct(たとえば、LTE環境内のD2D通信)では、D2D通信リンクのスケジューリングは、分散型スケジューリングによって実行され得る。一態様では、送信要求(RTS)/送信可(CTS)ハンドシェイクシグナリングは、D2Dペア内の各デバイスがD2D通信リンクを介してデータを通信することを試行する前に実行され得る。LTE-Directでは、24個のRBが、RTS/CTSシグナリングのために利用可能であり得る。さらに、LTE-Directでは、D2D通信リンクの各々に対して、1つのRBがRTSブロック308として割り当てられ、別のRBがCTSブロック310として割り当てられ得る。言い換えれば、D2D通信リンクの各々は、RTS/CTSシグナリングのためにRBペアを使用し得る。本明細書で使用されるように、RBペアは、接続識別子(CID)312と呼ばれることがある。
【００２９】
図4は、LTEにおけるULフレーム構造の一例を示す図400である。ULのために利用可能なリソースブロックは、データセクションと制御セクションとに分割され得る。制御セクションは、システム帯域幅の2つの端部に形成されてよく、構成可能なサイズを有し得る。制御セクションのリソースブロックは、制御情報の送信のためにUEに割り当てられ得る。データセクションは、制御セクションに含まれないすべてのリソースブロックを含み得る。ULフレーム構造が、連続するサブキャリアを含むデータセクションをもたらし、これにより、単一のUEが、データセクションの中の連続するサブキャリアのすべてを割り当てられるようになり得る。
【００３０】
UEは、eNBに制御情報を送信するために、制御セクションの中のリソースブロック410a、410bを割り当てられ得る。UEには、eNBにデータを送信するためにデータセクション中のリソースブロック420a、420bも割り当てられ得る。UEは、制御セクション中の割り当てられたリソースブロック上の物理UL制御チャネル(PUCCH)中で制御情報を送信し得る。UEは、データセクションの中の割り当てられたリソースブロックで、物理UL共有チャネル(PUSCH)で、データのみまたはデータと制御情報の両方を、送信することができる。UL送信は、サブフレームの両方のスロットにわたってもよく、周波数にまたがってホッピングしてもよい。
【００３１】
リソースブロックのセットは、最初のシステムアクセスを実行するために使用され、物理ランダムアクセスチャネル(PRACH)430内でUL同期を達成することができる。PRACH430は、ランダムシーケンスを搬送し、ULデータ/シグナリングを搬送できない。一態様では、RACHシーケンスが、アイドルモードにある間のUEからのACK/NACK情報の通信用に保存され得る。各ランダムアクセスプリアンブルは、6つの連続するリソースブロックに対応する帯域幅を占有する。開始周波数は、ネットワークによって指定される。すなわち、ランダムアクセスプリアンブルの送信は、一定の時間リソースおよび周波数リソースに限定される。PRACHに対して周波数ホッピングは存在しない。PRACH試行は、単一のサブフレーム(1ms)内またはいくつかの連続するサブフレームのシーケンス内で搬送され、UEは、フレーム(10ms)当たり1つだけのPRACH試行を行うことができる。
【００３２】
図5は、LTEにおけるユーザプレーンおよび制御プレーンの無線プロトコルアーキテクチャの一例を示す図500である。UE502およびeNB504の無線プロトコルアーキテクチャは、3つの層、すなわち層1、層2、および層3で示される。データ/シグナリングの通信522は、3つのレイヤにわたってUE502とeNB504との間で発生する場合がある。層1(L1層)は最下層であり、様々な物理層の信号処理機能を実施する。L1層は、本明細書では物理層506と呼ばれる。層2(L2層)508は、物理層506の上にあり、物理層506を通じたUEとeNBとの間のリンクの役割を担う。
【００３３】
ユーザプレーンでは、L2層508は、媒体アクセス制御(MAC)副層510、無線リンク制御(RLC)副層512、およびパケットデータコンバージェンスプロトコル(PDCP)副層514を含み、これらはネットワーク側のeNBで終端する。図示されていないが、UEは、ネットワーク側のPDNゲートウェイ118で終端するネットワーク層(たとえばIP層)と、接続の他の端部(たとえば、遠端のUE、サーバなど)で終端するアプリケーション層とを含めて、L2層508より上にいくつかの上位層を有し得る。
【００３４】
PDCP副層514は、異なる無線ベアラと論理チャネルとの間の多重化を行う。PDCP副層514はまた、無線送信のオーバーヘッドを低減するための上位層データパケットのヘッダ圧縮、データパケットの暗号化によるセキュリティ、および、eNB間のUEのハンドオーバのサポートを実現する。RLC副層512は、上位層データパケットのセグメント化および再構築、失われたデータパケットの再送信、ならびに、ハイブリッド自動再送要求(HARQ)による順序の狂った受信を補償するためのデータパケットの再順序付けを行う。MAC副層510は、論理チャネルとトランスポートチャネルとの間の多重化を行う。MAC副層510はまた、1つのセルの中の様々な無線リソース(たとえばリソースブロック)の複数のUEへの割当ての役割を担う。MAC副層510はまた、HARQ動作に対する役割を担う。
【００３５】
制御プレーンにおいて、UEおよびeNBの無線プロトコルアーキテクチャは、制御プレーンに対するヘッダ圧縮機能が存在しないことを除いて、物理層506およびL2層508と実質的に同じである。制御プレーンはまた、層3(L3層)内に無線リソース制御(RRC)副層516を含む。RRC副層516は、無線リソース(たとえば、無線ベアラ)を取得することと、eNB504とUE502との間のRRCシグナリングを使用してより低い層を構成することとを行う役割を担う。ユーザプレーンはまた、インターネットプロトコル(IP)サブレイヤ518およびアプリケーションサブレイヤ520を含む。IPサブレイヤ518およびアプリケーションサブレイヤ520は、eNB504とUE502との間のアプリケーションデータの通信をサポートすることに関与する。
【００３６】
図6は、アクセスネットワーク内でUE650と通信しているWANエンティティ(たとえば、eNB、MMEなど)610のブロック図である。DLでは、コアネットワークからの上位層パケットが、コントローラ/プロセッサ675に与えられる。コントローラ/プロセッサ675は、L2層の機能を実施する。DLでは、コントローラ/プロセッサ675は、ヘッダ圧縮、暗号化、パケットセグメンテーションおよび再順序付け、論理チャネルとトランスポートチャネルとの間の多重化、ならびに様々な優先度メトリックに基づくUE650への無線リソースの割当てを提供する。コントローラ/プロセッサ675はまた、HARQ動作、失われたパケットの再送信、およびUE650へのシグナリングを行う役割を担う。
【００３７】
送信(TX)プロセッサ616は、L1層(すなわち、物理層)に対して様々な信号処理機能を実施する。信号処理機能は、UE650において前方誤り訂正(FEC)を可能にするためのコーディングおよびインターリービングするステップと、様々な変調方式(たとえば、2位相偏移変調(BPSK)、4位相偏移変調(QPSK)、M位相偏移変調(M-PSK)、M-直交振幅変調(M-QAM))に基づいて信号コンスタレーションにマッピングするステップとを含む。次いで、コード化シンボルおよび被変調シンボルは、並列ストリームに分離される。次いで、各ストリームは、OFDMサブキャリアにマッピングされ、時間領域および/または周波数領域内で基準信号(たとえば、パイロット)と多重化され、次いで、時間領域OFDMシンボルストリームを搬送する物理チャネルを作成するために、逆高速フーリエ変換(IFFT)を使用して一緒に組み合わされる。OFDMストリームは、複数の空間ストリームを作成するために空間的にプリコードされる。チャネル推定器674によるチャネル推定が、コーディング方式および変調方式を決定するため、ならびに空間処理のために、使用され得る。チャネル推定は、基準信号および/またはUE650によって送信されるチャネル状態フィードバックから導出され得る。次いで、各空間ストリームは、それぞれの送信機618TXを介して異なるアンテナ620に供給される。各送信機618TXは、送信のためにそれぞれの空間ストリームでRFキャリアを変調する。
【００３８】
UE650において、各受信機654RXは、それのそれぞれのアンテナ652を通じて信号を受信する。各受信機654RXは、RFキャリア上に変調された情報を回復し、受信(RX)プロセッサ656に情報を供給する。RXプロセッサ656は、L1層に対して様々な信号処理機能を実施する。RXプロセッサ656は、情報に対して空間処理を実行して、UE650に向けられたあらゆる空間ストリームを回復する。複数の空間ストリームがUE650に向けられている場合、それらは、RXプロセッサ656によって組み合わされて、単一のOFDMシンボルストリームになる。次いで、RXプロセッサ656は、OFDMシンボルストリームを、高速フーリエ変換(FFT)を使用して時間領域から周波数領域に変換する。周波数領域信号は、OFDM信号のサブキャリアごとに個別のOFDMシンボルストリームを含む。各サブキャリア上のシンボルおよび基準信号は回復され、最も可能性の高い、WANエンティティ610によって送信された信号コンスタレーションポイントを判断することによって復調される。これらの軟判定は、チャネル推定器658によって計算されるチャネル推定に基づき得る。次いで、軟判定は、復号され、デインターリーブされて、データを回復し、物理チャネル上でWANエンティティ610によって最初に送信された信号を制御する。次に、データおよび制御信号は、コントローラ/プロセッサ659に供給される。
【００３９】
コントローラ/プロセッサ659は、L2層を実施する。コントローラ/プロセッサは、プログラムコードおよびデータを記憶するメモリ660に関連付けられ得る。メモリ660は、コンピュータ可読媒体と呼ばれる場合もある。ULにおいて、コントローラ/プロセッサ659は、トランスポートチャネルと論理チャネルとの間の逆多重化、パケットリアセンブリ、復号、ヘッダ圧縮、コアネットワークから上位層パケットを回復するための制御信号処理を提供する。次いで、上位層パケットは、L2層の上のすべてのプロトコル層を表すデータシンク662に供給される。様々な制御信号はまた、L3処理のためにデータシンク662に供給され得る。コントローラ/プロセッサ659はまた、HARQ動作をサポートするために、肯定応答(ACK)プロトコルおよび/または否定応答(NACK)プロトコルを使用して誤り検出を行う役割を担う。
【００４０】
ULにおいて、データソース667は、コントローラ/プロセッサ659に上位層パケットを供給するために使用される。データソース667は、L2層の上のすべてのプロトコル層を表す。WANエンティティ610によるDL送信に関して説明する機能に類似して、コントローラ/プロセッサ659は、ヘッダ圧縮、暗号化、パケットセグメンテーションおよび再順序付け、ならびにWANエンティティ610による無線リソース割当てに基づく論理チャネルとトランスポートチャネルとの間の多重化を提供することによって、ユーザプレーンおよび制御プレーンに対してL2層を実施する。コントローラ/プロセッサ659はまた、HARQ動作、失われたパケットの再送信、およびWANエンティティ610へのシグナリングを行う役割を担う。
【００４１】
基準信号またはWANエンティティ610によって送信されたフィードバックからチャネル推定器658によって導出されたチャネル推定は、適切なコーディングおよび変調方式を選択するため、および空間処理を可能にするために、TXプロセッサ668によって使用され得る。TXプロセッサ668によって生成された空間ストリームは、個別の送信機654TXを介して異なるアンテナ652に供給される。各送信機654TXは、送信のためにそれぞれの空間ストリームでRFキャリアを変調する。
【００４２】
UL送信は、WANエンティティ650において受信機能に関して説明したのと同様の方式で、eNB610において処理される。各受信機618RXは、そのそれぞれのアンテナ620を通じて信号を受信する。各受信機618RXは、RFキャリア上に変調された情報を回復し、RXプロセッサ670に情報を供給する。RXプロセッサ670は、L1層を実施し得る。
【００４３】
コントローラ/プロセッサ675は、L2層を実施する。コントローラ/プロセッサ675は、プログラムコードおよびデータを記憶するメモリ676に関連付けられ得る。メモリ676は、コンピュータ可読媒体と呼ばれる場合もある。ULにおいて、コントローラ/プロセッサ675は、トランスポートチャネルと論理チャネルとの間の逆多重化、パケットリアセンブリ、復号、ヘッダ圧縮、UE650から上位層パケットを回復するための制御信号処理を提供する。コントローラ/プロセッサ675からの上位層パケットは、コアネットワークに供給され得る。コントローラ/プロセッサ675はまた、HARQ動作をサポートするために、ACKプロトコルおよび/またはNACKプロトコルを使用して誤り検出を行う役割を担う。
【００４４】
図7は、デバイス間通信システム700の図である。デバイス間通信システム700は、複数のワイヤレスデバイス704、706、708、710を含む。デバイス間通信システム700は、たとえば、ワイヤレス広域ネットワーク(WWAN)など、セルラー通信システムと重なり得る。ワイヤレスデバイス704、706、708、710の中には、DL/UL WWANスペクトルを用いてデバイス間通信で互いに通信することができるものもあり、基地局702と通信することができるものもあり、両方とも行えるものもある。別の態様では、WWANは、1つまたは複数のネットワークエンティティ(たとえば、MME714)を介して提供される接続性を通して協調通信環境を提供することができる複数の基地局(702、712)を含み得る。
【００４５】
たとえば、図7に示すように、ワイヤレスデバイス708、710がデバイス間通信中であり、ワイヤレスデバイス704、706がデバイス間通信中である。ワイヤレスデバイス704、706はまた、基地局702とも通信中である。
【００４６】
動作的一態様では、ワイヤレスデバイス(704、706、708、710)は、デバイス間通信システム700内の潜在的な干渉および/または衝突を低減するために同期され得る。一態様では、同期は、ネットワークエンティティ(たとえば、MME714、基地局712)によって提供される同期情報によって可能になり得る。別の態様では、同期は、ワイヤレスデバイス(704、706、708、710)間で分散方式で実行され得る。分散型周波数同期のより詳細な説明は、図8、図9および図10を参照して行われる。
【００４７】
図8は、デバイス間通信ネットワーク800における分散型同期通信の図である。デバイス間通信ネットワーク800は、複数のUE(たとえば、UE802、804、806、808)、WANエンティティ(たとえば、eNB、MME、など)816を含み得る。随意の一態様では、デバイス間通信ネットワーク800は、GPSエンティティ820を含み得る。
【００４８】
UE802は、デバイス間通信ネットワーク800内の通信に対して動作可能であり得る。デバイス間通信ネットワーク800内の通信を実行することの一部として、UE(たとえば、802、804、806、808)は、タイミング同期および/または周波数同期を実行し得る。一態様では、分散型周波数同期は、デバイス間通信ネットワーク800内の他のUE(たとえば、804、806、808)から同期信号(たとえば、812a、812b、812c)を受信することによって、UE802によって実行され得る。UE802は、受信された同期信号(たとえば、812a、812b、812c)を処理し、受信された同期信号(たとえば、812a、812b、812c)に少なくとも部分的に基づいて内部クロックレートを調整することができる。別の態様では、UE802はまた、1つまたは複数のサードパーティ(たとえば、WANエンティティ816、GPSエンティティ820など)からタイミング情報(たとえば、818、822)を受信し得る。その後、UE802は、調整された内部クロックレートに基づいて同期信号814を送信し得る。
【００４９】
動作的一態様では、UE802は、他のUE(たとえば、804、806、808)の平均クロックレートと整合させることによって他のUE(たとえば、804、806、808)と整合するように、その内部クロックレートを調整し得る。たとえば、UE802は、いくつか(3つ)の他のUE(たとえば、804、806、808)から同期信号(たとえば、812a、812b、812c)を受信し得る。少なくとも各同期信号が受信された時点に基づいて、UE802は、他のUE(たとえば、804、806、808)の各々のクロックレートを決定し得る。さらに、UE802は、その内部クロックレートに決定されたクロックレートを加え、その合計を同期信号が受信されたUEの数で割ることができる。別の態様では、受信された同期信号(たとえば、812a、812b、812c)の各々は、シーケンスのセットからのシーケンスを使用して受信され得る。そのような態様では、シーケンスのセットのサブセットが、サードパーティ(たとえば、GPS)ベースのタイミング情報822へのアクセスを有するUEのために保存され得る。さらに、UE(たとえば、804、806、808)のうちの1つが、保存されているシーケンスのサブセットからのシーケンスを使用していることをUE802が検出するような態様では、UE802は、平均クロックレートを生成することに関連する加算および除算のプロセスを実行するときに、重み係数をそのUE(たとえば、804)に適用し得る。
【００５０】
UE802がサードパーティ(たとえば、GPSエンティティ820、WANエンティティ816)ベースのタイミング情報(822、818)を取得し得る別の動作的態様では、UE802はまた、同期信号の送信に使用されるシーケンスのセットを取得し得る。一態様では、シーケンスのセットは、サードパーティベースのタイミング情報(たとえば、822、818)を取得するように構成されたUE(たとえば、802、804)のために保存されているシーケンスのサブセットを含み得る。UE802は、サードパーティベースのタイミング情報に基づいてその内部クロックレートを調整し、同期信号814の送信のためにシーケンスのサブセットから選択されたシーケンスを使用することができる。
【００５１】
したがって、受信された同期信号(たとえば、812a、812b、812c)、および/またはサードパーティベースのタイミング情報(818、822)に基づいて、UE802は、サードパーティタイミング情報および/または生成された平均クロックレートと整合するようにその内部クロックレートを調整し得る。
【００５２】
図9および図10は、提示した主題の様々な態様による様々な方法を示している。説明を簡単にするために、方法について、一連の動作またはシーケンスステップとして図示および説明しているが、いくつかの動作は、本明細書で図示および説明したものと異なる順序で、かつ/または他の動作と同時に行うことができるため、請求する主題は、動作の順序によって限定されないことを理解し、諒解されたい。たとえば、方法は、代わりに、状態図においてなど、一連の相互に関係する状態またはイベントとして表すことができることを、当業者であれば理解し、諒解されよう。さらに、特許請求する主題に従って方法を実装するために、示したすべての行為が必要とされ得るわけではない。さらに、以下および本明細書の全体にわたって開示する方法をコンピュータにトランスポートし、伝達するのを容易にするために、そのような方法を製造物品上に記憶することが可能であることをさらに諒解されたい。本明細書で使用される製造物品という用語は、任意のコンピュータ可読のデバイス、キャリア、または媒体からアクセス可能なコンピュータプログラムを含むものとする。
【００５３】
図9は、ワイヤレス通信の第1の方法のフローチャート900である。この方法は、UEによって実行することができる。
【００５４】
動作的一態様では、ブロック902で、UEは、同期信号を送信するために1つまたは複数のUEの各々によって使用されるシーケンスを示すシーケンスのセットを受信し得る。一態様では、シーケンスのセットは、GPSベースのタイミング情報を提供するGPSに接続されたUEのために保存されているシーケンスのサブセットを含み得る。一態様では、同期信号は、LTEベースのアクセスネットワーク内の一次同期信号(PSS)であり得る。
【００５５】
ブロック904で、UEは、1つまたは複数のUEの各々から同期信号を受信し得る。
【００５６】
ブロック906で、UEは、少なくとも受信された同期信号に基づいて平均クロックレートを生成するために平均化プロセスを実行し得る。一態様では、平均化プロセスの一部として、UEは、UEのうちの少なくとも1つがシーケンスのサブセットからのシーケンスを使用していることを判定し、判定されたUEに重み係数を適用することができる。別の態様では、平均化プロセスの一部として、UEは、同期信号が受信されたUEの数を決定し、同期信号の各々に対する受信時間に基づいて1つまたは複数のUEの各々に対するクロックレートを決定し、内部クロックレートとともに決定されたクロックレートを加算することによってクロックレート合計値を生成し、タイミング合計値を、同期信号が受信されたUEの数に1を加えた合計で割ることによって平均クロックレートを生成することができる。そのような態様では、UEはまた、UEがGPS接続であることを判定し、平均化プロセス中にGPS接続UEに重み値を適用することができる。さらに、UEは、保存されている利用可能なシーケンスのサブセット内にあるGPS接続UEによって使用されるシーケンスに基づいて、GPS接続であることを判定され得る。重み値は、GPS接続UEのクロックレートに向けて平均クロックレートをバイアスすることができる。
【００５７】
ブロック908で、UEは、平均クロックレートに基づいて内部クロックレートを調整し得る。一態様では、内部クロックレートは、平均クロックレートと整合するように調整され得る。
【００５８】
随意の一態様では、ブロック910で、UEは、受信されたシーケンスのセットに基づいてUEによって同期信号の送信のためのシーケンスを選択し得る。一態様では、シーケンスは、1つまたは複数のUEの各々によって使用されるシーケンスのセット内のシーケンスのいずれとも異なるように選択され得る。
【００５９】
ブロック912で、UEは、調整された内部クロックレートに基づいて同期信号を送信し得る。一態様では、送信は、選択されたシーケンスに基づき得る。
【００６０】
図10は、ワイヤレス通信の第2の方法のフローチャート1000である。方法は、UEによって実行され得る。
【００６１】
随意の一態様では、ブロック1002で、UEは、同期信号送信のために1つまたは複数のUEの各々によって使用されるシーケンスを示すシーケンスのセットを受信し得る。一態様では、シーケンスのセットは、GPS接続UEのために保存されているシーケンスのサブセットを含み得る。
【００６２】
ブロック1004で、UEは、サードパーティによって提供されたタイミング情報に基づいて内部クロックレートを調整し得る。一態様では、サードパーティベースのタイミング情報は、GPSベースのタイミング情報であり得る。別の態様では、サードパーティは、UEが通信するWANエンティティ(たとえば、eNB、MMEなど)であり得る。
【００６３】
ブロック1006で、UEは、GPS接続UEのために保存されているシーケンスのサブセットからの同期信号送信を通信するためのシーケンスを選択し得る。一態様では、UEは、1つまたは複数のUEのいずれによっても使用されないシーケンスを選択する。
【００６４】
ブロック1008で、UEは、調整された内部クロックレートと選択されたシーケンスとに基づいて同期信号を送信し得る。一態様では、同期信号は、LTEベースのネットワーク内のPSSである。
【００６５】
図11は、例示的な装置1102における異なるモジュール/手段/コンポーネント間のデータフローを示す概念的なデータフロー図1100である。装置は、UEであってよい。
【００６６】
装置1102は、D2D通信システム内の他のUE(たとえば、804、806、808)から同期信号1116を受信し得る受信モジュール1104を含む。一態様では、同期信号は、D2D通信システムと分散型同期を実行することにおいてUEを支援するために、スケジュールされた時間および/またはスケジュールされた周波数で送信され得る。随意の一態様では、受信モジュール1104は、さらに、同期信号を送信するために1つまたは複数のUEの各々によって使用されるシーケンスを示すシーケンスのセット1120を受信し得る。別の態様では、受信モジュール1104は、サードパーティからタイミング情報1126を取得し得る。そのような随意の一態様では、タイミング情報1126は、WANエンティティ(たとえば、基地局702、MME714)から受信され得る。別の態様では、タイミング情報1126は、GPSエンティティ(たとえば、GPSエンティティ820)から受信され得る。装置1102は、平均クロックレート1118を生成するために他のUE(たとえば、804、806、808)からの受信された同期信号1116を処理し得る平均クロックレート決定モジュール1106をさらに含む。シーケンスのセット1120が受信され、1つまたは複数のUEがGPS接続UEのために保存されているサブセット内からのシーケンスを使用している一態様では、平均クロックレート決定モジュール1106は、平均クロックレート生成プロセス中にGPS接続UE情報にGPS重み係数を適用し得る。装置1102は、シーケンスのセット1120および/またはサードパーティタイミング情報1126を受信し得る送信シーケンスモジュール1110をさらに含む。一態様では、シーケンスのセット1120は、全地球測位システム(GPS)ベースのタイミング情報を提供するGPSに接続されたUEのために保存されたシーケンスのサブセットを含み得る。装置1102は、平均クロックレート1118に基づいて内部クロックレートを調整し得る内部クロックレート調整モジュール1108をさらに含み得る。一態様では、内部クロックレート調整モジュール1108は、同期信号1128の送信のためにシーケンス1122を使用し得る。そのような態様では、シーケンス1122は、任意の他のUE(たとえば、804、806、808)によって使用されるシーケンスと異なるように選択され得る。装置1102は、調整された内部クロックレート1124に基づいて同期信号1128を送信し得る送信モジュール1112をさらに含み得る。一態様では、同期信号1128を送信し得る送信モジュール1112は、さらに、選択されたシーケンス1122に基づく。受信モジュール1104がタイミング情報1126を受信した別の動作的態様では、内部クロックレート調整モジュール1108は、受信されたタイミング情報1126に基づいて内部クロックレートを調整し得る。さらに、送信モジュール1112は、調整された内部クロックレート1124に基づいておよびGPS接続UEのために保存されているシーケンスのサブセットからのシーケンス1122を使用して、同期信号1128を送信し得る。
【００６７】
装置は、図9および図10の上記のフローチャートにおけるアルゴリズムのステップの各々を実行する追加のモジュールを含み得る。したがって、図9および図10の上記のフローチャートにおける各ステップは、モジュールによって実行することができ、装置は、それらのモジュールのうちの1つまたは複数を含むことができる。モジュールは、特に、上記のプロセス/アルゴリズムを遂行するように構成されるか、上記のプロセス/アルゴリズムを実行するように構成されたプロセッサによって実施されるか、プロセッサによって実施するためにコンピュータ可読媒体内に記憶されるか、またはそれらのいくつかの組合せによる、1つまたは複数のハードウェア構成要素であってよい。
【００６８】
図12は、処理システム1214を使用する装置1102'のハードウェア実装の一例を示す図1200である。処理システム1214は、バス1224によって概略的に表されるバスアーキテクチャで実装され得る。バス1224は、処理システム1214の具体的な用途および全体的な設計制約に応じて、任意の数の相互接続するバスおよびブリッジを含み得る。バス1224は、プロセッサ1204によって表される1つまたは複数のプロセッサおよび/またはハードウェアモジュールと、モジュール1104、1106、1108、1110、1112と、コンピュータ可読媒体1206とを含む様々な回路を互いにリンクさせる。バス1224は、タイミングソース、周辺機器、電圧調整器、および電力管理回路など、様々な他の回路をリンクさせることもでき、これらの回路は当技術分野でよく知られており、したがって、これ以上は説明しない。
【００６９】
処理ユニット1214は、トランシーバ1210に結合され得る。トランシーバ1210は、1つまたは複数のアンテナ1220に結合される。トランシーバ1210は、送信媒体上の様々な他の装置と通信するための手段を提供する。処理システム1214は、コンピュータ可読媒体1206に結合されたプロセッサ1204を含む。プロセッサ1204は、コンピュータ可読媒体1206上に記憶されたソフトウェアの実行を含む全般的な処理を受け持つ。ソフトウェアは、プロセッサ1204によって実行されると、任意の特定の装置に対して上記で説明した様々な機能を処理システム1214に実行させる。コンピュータ可読媒体1206は、ソフトウェアを実行するときにプロセッサ1204によって操作されるデータを記憶するために使用されてもよい。処理システムは、モジュール1104、1106、1108、1110、および1112のうちの少なくとも1つをさらに含む。モジュールは、コンピュータ可読媒体1206に常駐する/記憶される、プロセッサ1204で動作しているソフトウェアモジュール、プロセッサ1204に結合された1つもしくは複数のハードウェアモジュール、またはそれらの何らかの組合せとすることができる。処理システム1214は、UE650の構成要素であってよく、メモリ660ならびに/あるいはTXプロセッサ668、RXプロセッサ656、およびコントローラ/プロセッサ659のうちの少なくとも1つを含み得る。
【００７０】
一構成では、ワイヤレス通信のための装置1102/1102'は、1つまたは複数のUEの各々から同期信号をUEによって受信するための手段と、少なくとも受信された同期信号に基づいて平均クロックレートを生成するために平均化プロセスを実行するための手段と、平均クロックレートに基づいて内部クロックレートを調整するための手段とを含む。一態様では、装置1102/1102'はまた、同期信号を送信するために1つまたは複数のUEの各々によって使用されるシーケンスを示すシーケンスのセットを受信するための手段と、受信されたシーケンスのセットに基づいてUEによって同期信号の送信のためのシーケンスを選択するための手段とを含み得る。一態様では、装置1102/1102'の実行するための手段は、1つまたは複数のUEのうちの少なくとも1つがシーケンスのサブセットからのシーケンスを使用していることを判定することと、平均化プロセスの一部として1つまたは複数のUEのうちの判定された少なくとも1つに重み係数を適用することとを行うように構成され得る。一態様では、装置1102/1102'の実行するための手段は、同期信号が受信されたUEの数を決定することと、同期信号の各々に対する受信時間に基づいて1つまたは複数のUEの各々に対するクロックレートを決定することと、内部クロックレートとともに決定されたクロックレートを加算することによってクロックレート合計値を生成することと、タイミング合計値を、同期信号が受信されたUEの数に1を加えた合計で割ることによって平均クロックレートを生成することとを行うように構成され得る。そのような態様では、装置1102/1102'の実行するための手段は、1つまたは複数のUEのうちの少なくとも1つがGPS接続UEであることを判定するように構成され得、少なくとも1つのGPS接続UEのクロックレートに向けて平均クロックレートをバイアスするために、クロックレート合計値が生成されるときに、重み値が少なくとも1つのGPS接続UEに適用される。一態様では、装置1102/1102'は、調整された内部クロックレートに基づいて同期信号を送信するための手段をさらに含み得る。
【００７１】
別の構成では、ワイヤレス通信のための装置1102/1102'は、GPSによって提供されるタイミング情報に基づいてUEの内部クロックレートを調整するための手段と、GPS接続UEのために保存されているシーケンスのサブセットからの同期信号送信を通信するためのシーケンスを選択するための手段と、調整された内部クロックレートと選択されたシーケンスとに基づいて同期信号を送信するための手段とを含む。一態様では、装置1102/1102'はまた、同期信号送信のために1つまたは複数のUEの各々によって使用されるシーケンスを示す、シーケンスのサブセットを含むシーケンスのセットを受信するための手段を含み得る。一態様では、装置1102/1102'の選択するための手段は、1つまたは複数のUEのいずれによっても使用されないシーケンスを選択するようにさらに構成され得る。
【００７２】
上記の手段は、装置1102の上記のモジュールおよび/または上記の手段によって記載された機能を実行するように構成された装置1102'の処理システム1214のうちの1つまたは複数であってよい。上記で説明したように、処理システム1214は、TXプロセッサ668、RXプロセッサ656、およびコントローラ/プロセッサ659を含み得る。したがって、一構成では、上記の手段は、上記の手段によって記載された機能を実行するように構成された、TXプロセッサ668、RXプロセッサ656、およびコントローラ/プロセッサ659であり得る。
【００７３】
開示したプロセスにおけるステップの特定の順序または階層は、例示的な手法の一例であることを理解されたい。設計上の選好に基づいて、プロセスにおけるステップの特定の順序または階層は再構成可能であることを理解されたい。さらに、いくつかのステップが、組み合わされ得るかまたは省略され得る。添付の方法クレームは、様々なステップの要素を例示的な順序で提示したものであり、提示された特定の順序または階層に限定されるものではない。
【００７４】
上記の説明は、本明細書で説明される様々な態様を当業者が実施できるようにするために与えられる。これらの態様への様々な変更は当業者には容易に明らかであり、本明細書で定義した一般的原理は他の態様に適用され得る。したがって、特許請求の範囲は本明細書で示す態様に限定されるよう意図されているわけではなく、文言通りの特許請求の範囲と整合するすべての範囲を許容するように意図されており、単数の要素への言及は、そのように明記されていない限り、「唯一無二の」ではなく、「1つまたは複数の」を意味するよう意図されている。別段に明記されていない限り、「いくつかの」という用語は「1つまたは複数の」を意味する。当業者に知られている、または後で知られることになる本開示全体にわたって説明する様々な態様の要素に対するすべての構造的および機能的均等物は、参照により本明細書に明確に組み込まれ、特許請求の範囲によって包含されるものとする。さらに、本明細書で開示する内容は、そのような開示が特許請求の範囲で明示的に記載されているかどうかにかかわらず、公に供することは意図されていない。いかなるクレーム要素も、要素が「ための手段(means for)」という語句を使用して明確に記載されていない限り、ミーンズプラスファンクションとして解釈されるべきではない。
【符号の説明】
【００７５】
100  LTEネットワークアーキテクチャ、発展型パケットシステム(EPS)
102  ユーザ機器(UE)
104  発展型UMTS地上波無線アクセスネットワーク(E-UTRAN)
106  発展型ノードB(eNB)
108  他のeNB
110  発展型パケットコア(EPC)
112  モビリティ管理エンティティ(MME)
114  他のMME
116  サービングゲートウェイ
118  パケットデータネットワーク(PDN)ゲートウェイ
120  ホーム加入者サーバ(HSS)
122  事業者のIPサービス
200  アクセスネットワーク
202  セル
204  マクロeNB
206  UE
208  低い電力クラスのeNB
210  セルラー領域
212  UE
300  LTEにおけるDLフレーム構造の一例を示す図
302  サブフレーム
304  タイムスロット
308  RTSブロック
310  CTSブロック
312  接続識別子(CID)
400  LTEにおけるULフレーム構造の一例を示す図
410a  リソースブロック
410b  リソースブロック
420a  リソースブロック
420b  リソースブロック
430  物理ランダムアクセスチャネル(PRACH)
500  LTEにおけるユーザプレーンおよび制御プレーンの無線プロトコルアーキテクチャの一例を示す図
502  UE
504  eNB
506  物理層
508  L2層
510  媒体アクセス制御(MAC)副層
512  無線リンク制御(RLC)副層
514  パケットデータコンバージェンスプロトコル(PDCP)副層
516  無線リソース制御(RRC)副層
518  インターネットプロトコル(IP)サブレイヤ
520  アプリケーションサブレイヤ
522  通信
610  WANエンティティ
616  送信(TX)プロセッサ
618TX  送信機
618RX  受信機
620  アンテナ
650  UE
652  アンテナ
654TX  送信機
654RX  受信機
656  受信(RX)プロセッサ
658  チャネル推定器
659  コントローラ/プロセッサ
660  メモリ
662  データシンク
667  データソース
668  TXプロセッサ
670  RXプロセッサ
674  チャネル推定器
675  コントローラ/プロセッサ
676  メモリ
700  デバイス間通信システム
702  基地局
704  ワイヤレスデバイス
706  ワイヤレスデバイス
708  ワイヤレスデバイス
710  ワイヤレスデバイス
712  基地局
714  MME
800  デバイス間通信ネットワーク
802  UE
804  UE
806  UE
808  UE
812a、812b、812c  同期信号
814  同期信号
816  WANエンティティ
818  タイミング情報
820  GPSエンティティ
822  タイミング情報
1000  フローチャート
1102  装置
1102'  装置
1104  受信モジュール
1106  平均クロックレート決定モジュール
1108  内部クロックレート調整モジュール
1110  送信シーケンスモジュール
1112  送信モジュール
1116  同期信号
1118  平均クロックレート
1120  シーケンスのセット
1122  シーケンス
1124  内部クロックレート
1126  タイミング情報
1128  同期信号
1200  図
1204  プロセッサ
1206  コンピュータ可読媒体
1210  トランシーバ
1214  処理システム
1220  アンテナ
1224  バス
【図１】
0006464092.tif 000002
【図２】
0006464092.tif 000003
【図３】
0006464092.tif 000004
【図４】
0006464092.tif 000005
【図５】
0006464092.tif 000006
【図６】
0006464092.tif 000007
【図７】
0006464092.tif 000008
【図８】
0006464092.tif 000009
【図９】
0006464092.tif 000010
【図１０】
0006464092.tif 000011
【図１１】
0006464092.tif 000012
【図１２】
0006464092.tif 000013